(57)【要約】      （修正有）【課題】着雪や着氷、および霜の付着を抑止し、吹雪、地吹雪でも良好な視認性を得ることのできるLED信号機を提供する。【解決手段】LEDの発光で直接信号色を認識するのではなく、ひさし状のLED発光部１から湾曲型反射板３にLED光Aを水平方向から垂直報告に反射させるとともに、湾曲型反射板３内に組み込まれているLED用電力機器４の発熱を利用し湾曲型反射板３に付着した着雪・着氷を滑り落とす。また、従来の信号機では、丸型３色（青・黄・赤）に分かれていたが、湾曲型反射板３を使い、従来型３色発光と、湾曲反射板３を全体的に１色切換式に発光させることで、従来型より発光面積が横に広がりことで、吹雪、地吹雪時の視認性を３倍以上向上させることができる。【選択図】図１
2020095314.tif 000002
【特許請求の範囲】
【請求項１】
信号発光部を反射板に反射させることで信号機として使うことを特徴とする反射式積雪型信号機
【請求項２】
着雪・着氷防止をLED用電力機器の発熱を利用することを特徴とする請求項１に記載の反射式積雪型信号機
【請求項３】
信号発光部分を、四角形をした湾曲反射板に反射させることを特徴とする請求項１または２に記載の反射式積雪型信号機
【請求項４】
３色の信号色を固定位置ではなく、どの反射板でも３色を発光出来る事を特徴とする請求項１から３の何れか１項に記載の反射式積雪型信号機
【発明の詳細な説明】
【技術分野】
【０００１】
本発明は、着雪や着氷、および霜の付着、凍結などを確実に抑止し、良好な視認性を得ることのできる反射式融雪型の屋外用LED機器で停電時にも対応できる交通信号機に関するものである。
【背景技術】
【０００２】
全国にある多くの信号機が白熱電球からLED型へ置き替えられている。LED式は、白熱式と比較して消費電流が少なく、耐久性や視認性などの長所を持つが、白熱電球に比べ発熱が少ないため、信号機表面に着雪・着氷しやすく信号機が見えづらくなる新たな問題が明らかになった。
【０００３】
このような信号機への着雪や着氷を防ぐためには、信号灯の表示窓、あるいはその周辺にヒーターや赤外線・発熱シート方法が一般的に知られている。
【０００４】
これらの融雪対策をしたLED信号機は、LEDとは別に電力を消費すると共に、吹雪、地吹雪などによる視認性は従来と変わらず根本的な解決に至っていない。
【先行技術文献】
【特許文献】
【０００５】
【特許文献１】特開２００３−３０３３９９号公報
【特許文献１】特開２００７−２２０６３６号公報
【特許文献１】特開２０１３−０３０３９１号公報
【特許文献１】実用新案登録３１６１８７７号公報
【特許文献１】実用新案登録３１６３９２８号公報
【発明の概要】
【発明が解決しようとする課題】
【０００６】
本発明は、着雪や着氷、および霜を確実に抑止し、消費電力が少なく吹雪・地吹雪でも良好な視認性を得ることのできる反射式融雪型信号機、信号機以外で使用されるLED機器を提供することを目的とする。
【課題を解決するための手段】
【０００７】
本発明は、LEDの発光で直接信号色を認識するのではなく、ひさし状のLED発光板下部から湾曲した反射板にLED光を水平方向から垂直方向に反射させると共に、反射板内に組み込まれているLED用電源機器の発熱を利用し反射板に付着した着雪・着氷を滑り落とす。
【０００８】
また、従来の信号機では、３色（青・黄・赤）分かれていたが、信号機内のLEDを３色に区別する事なく、全体的に配置する事により３色分離型と全体１色型に切り替えることにより、視認性が向上させる。
【０００９】
着雪、着氷発生時、視認性をあげる上で、全体１色型に信号機を切り替えることで、湾曲した反射板内部のLED駆動電力機器の発熱を利用し、反射板に付着した着雪や着氷を効率よく取り除く。
【００１０】
災害や停電により信号機の電力が絶たれた場合、LED発光上部のソーラーパネルにより蓄電された電力により、一定時間信号機を稼働させる。
【発明の効果】
【００１１】
本発明の反射式積雪型信号機によれば、着雪・着氷を防ぐ上でのヒーター電力を必要とせず消費電力の少ないLEDの特性を生かした上で、吹雪、地吹雪の時は信号機の発光面を従来丸型から３面一体型にすることにより、視認性が向上し交通事故を抑制できる。
【００１２】
また、災害や停電時に蓄電池から電力を供給することにより、一定時間信号機として運用することで、二次災害を抑制できる。
【図面の簡単な説明】
【００１３】
【図１】反射式積雪型信号機の横断面図
【図２】反射式積雪型信号機の下面図
【図３】反射式積雪型信号機の正面図
【発明を実施するための形態】
【００１４】
以下、本発明の一実施形態をなす反射式積雪型信号機を、図面を参照して説明する。図１に示すように反射式積雪型信号機は、図１に示すように従来発光部が丸型から反射式の
湾曲した四角形をしており、LED発光部１、ソーラーパネル２、湾曲型反射板３、LED制御BOX７、制御BOX内にLED電力機器４、蓄電池５で構成されている。
【００１５】
LED発光部１は、ソーラーパネル２と表裏で合わさり、湾曲型反射板３の屋根として取り付けられている。
【００１６】
LED用電力機器４は、湾曲型反射板３裏面に直接取り付けられ、LED用電力機器４の放熱板にもなっており、着雪時には、LED用電力機器４の発熱により湾曲型反射板３に付着した雪、氷、霜を取り除くことができる。
【００１７】
湾曲型反射板３の曲面は、LED発光部１の反射光Bが真下から水平方向に分散するような湾曲をしており、LEDの光を均一に反射させる。
【００１８】
LED発光部１のLEDは、湾曲型反射板３に向けて斜めに取り付けら、直接湾曲型反射板３にLED光Aが均一に当たるよう取り付けられている。
【００１９】
LED発光部１上部には、ソーラーパネル２が取り付いており、制御BOX７内の蓄電池５に電力を随時供給し蓄電池の自然放電分を補うことができる。
【００２０】
LED発光部１は、図３のようにLEDが一面取り付けられているが、３色に区別されることなくLED青８、黄９、赤１０、のように混ざって付けられ、通常使用の時は、湾曲型反射板３−１には青８、湾曲型反射板３−２には黄９、湾曲型反射板３−３には赤１０が点灯、または点滅するようにLED発光部１を３色に色別して発光させる。
【００２１】
視認性の悪い吹雪、地吹雪時には、左側湾曲型反射板３−１および中央湾曲型反射板３−２、更に右側湾曲型反射板３−３を同じ色、つまりLED青８、LED黄９、LED赤１０の何れかで発光させることにより、発光面積を３倍にすることにより視認性を改善する。
【００２２】
湾曲型反射板３−１、３−２、３−３全体で信号表示を行う場合には、LED用電力機器４の発熱自体も３倍に増加する事で湾曲型反射板の着雪、着氷を効率よく溶かすことが可能になる。
【００２３】
反射式積雪型信号機の電力が絶たれた場合には、ソーラーパネル１で電力補充されている蓄電池５からを供給することで、一定時間信号機を点滅させることができる。
【産業上の利用可能性】
【００２４】
LED自体は、発熱量が低く着雪、着氷時に付着した雪、氷を取り除くことができないが、この反射式積雪型信号機は、LED用電力機器４からの発熱を有効に使用することで、LED本来の省エネに対応することができる。
【００２５】
また、従来型信号機は、吹雪、地吹雪時に視認性が悪くなることが多いが、この反射式
積雪型信号機は、信号機全体を同じ１色で発光させることで、従来型の３倍以上の発光面積により視認性が向上し、事故防止に貢献できる。
【００２６】
停電時にも、蓄電池５により、一定時間信号機を動かすことで、災害時の避難誘導に役立てることができる。
【符号の説明】
【００２７】
１    LED発光部
２    ソーラーパネル
３    湾曲型反射板
３−１左側湾曲型反射板
３−２中央湾曲型反射板
３−３右側湾曲型反射板
４    LED用電力機器
５    蓄電池
６    断熱材
７    LED用制御BOX
８    LED青
９    LED黄
１０  LED赤
１１  LED仕切り板
【図１】
2020095314.tif 000003
【図２】
2020095314.tif 000004
【図３】
2020095314.tif 000005